(57)【要約】【課題】従来は足の足長や足囲のみから靴形状を選択していた。しかし、顧客の満足する履き心地の靴形状を選択することは難しい。そのため実際には、顧客が何種類かの靴を試し履きしながら、靴形状を選択していた。しかし、例えば靴を通信販売するような場合には、試し履きをすることは困難である。【解決手段】靴形状選択方法は、顧客に関する複数のデータに基づいて、予め用意された複数種類の靴形状から適切な靴形状を選択する。該複数のデータには、該顧客の足の足長、該顧客の足の足囲  および  該顧客の足の１・２趾長差が含まれる。【選択図】      図２
2004313443.tif 000002
【特許請求の範囲】
【請求項１】
顧客に関する複数のデータに基づいて、予め用意された複数種類の靴形状から適切な靴形状を選択する靴形状選択方法であって、
該複数のデータが、該顧客の足の足長、該顧客の足の足囲  および  該顧客の足の１・２趾長差を含む、靴形状選択方法。
【請求項２】
該顧客の足の１・２趾長差が大きいほど、靴長サイズの大きな靴形状を選択する、請求項１記載の靴形状選択方法。
【請求項３】
該複数のデータが、該顧客の足の母趾高率を含む、請求項１又は２記載の靴形状選択方法。
【請求項４】
顧客に関する複数のデータに基づいて、予め用意された複数種類の靴形状から適切な靴形状を選択する靴形状選択方法であって、
該複数のデータが、該顧客の足の足長、該顧客の足の足囲  および  該顧客の足の母趾高率を含む、靴形状選択方法。
【請求項５】
該顧客の足の母趾高率が大きいほど、靴長サイズの大きな靴形状を選択する、請求項３又は４記載の靴形状選択方法。
【請求項６】
該複数のデータが、該顧客の靴に関するフィット感の好みを含む、請求項１乃至５のいずれか一の項に記載の靴形状選択方法。
【請求項７】
顧客に関する複数のデータに基づいて、予め用意された複数種類の靴形状から適切な靴形状を選択する靴形状選択方法であって、
該複数のデータが、該顧客の足の足長、該顧客の足の足囲  および  該顧客の靴に関するフィット感の好みを含む、靴形状選択方法。
【請求項８】
入力手段と選択手段と出力手段とを備え、
顧客に関する複数のデータが該入力手段から該選択手段に入力され、
該選択手段は該入力手段から入力された該複数のデータに基づいて、予め用意された複数種類の靴形状から適切な靴形状を選択し、
該出力手段は、該選択手段の選択結果を出力し、
該複数のデータが、該顧客の足の足長、該顧客の足の足囲  および  該顧客の足の１・２趾長差を含む、靴形状選択システム。
【請求項９】
顧客の足の第１趾の内側への傾角  および／または  顧客の足の１・２趾長差に基づいて、予め用意された複数種類の靴先形状から適切な靴先形状を選択する靴先形状選択方法。
【請求項１０】
該顧客の足の第１趾の内側への傾角が第１の角度以下であるときに、オブリーク型の靴先形状を選択する、請求項９記載の靴先形状選択方法。
【請求項１１】
該顧客の足の第１趾の内側への傾角が第２の角度以上であるときに、オブリーク型の靴先形状を選択する、請求項９または１０記載の靴先形状選択方法。
【請求項１２】
該顧客の足の１・２趾長差が所定値以上であるときに、オブリーク型の靴先形状を選択する、請求項９乃至１１のいずれか一の項に記載の靴先形状選択方法。
【発明の詳細な説明】
【０００１】
【発明の属する技術分野】
本発明は、顧客に関する複数のデータに基づいて、予め用意された複数種類の靴形状から適切な靴形状を選択する靴形状選択方法およびシステムに関する。
【０００２】
また、予め用意された複数種類の靴先形状から顧客に適した靴先形状を選択する靴先形状選択方法に関する。
【０００３】
【従来の技術】
従来、顧客の足に合った靴形状を選択する場合、主に足長と足囲等の計測値にもとづき、例えば図１０のようなＪＩＳ表をもとに靴形状を選択していた。また、足の様々な部分の計測値をもとに靴形状を選択する方法が幾つか提案されている。例えば、足長、足幅、土踏まず、足曲率（踵の基部の点から求められる足の中間エッジと側エッジの曲率）を計測した後、その値をもとに靴形状を決定する方法（例えば、特許文献１参照。）等がある。またそれ以外にも、足の計測データーを用いることで、顧客にあった靴形状を決定する方法がいくつか提案されている（例えば、特許文献２〜５参照。）。
【０００４】
【特許文献１】
特許第３０４１０３９号公報
【特許文献２】
特許第３０４１０３８号公報
【特許文献３】
特許第３０２５５３０号公報
【特許文献４】
特願平１１−２８２８６９公報
【特許文献５】
特願平１０−２６０７２２公報
【０００５】
【発明が解決しようとする課題】
しかし、足の足長や足囲や従来のパラメータ（足曲率等）を計測するだけでは、顧客の満足する履き心地の靴形状を選択することは難しい。そのため実際には、顧客が何種類かの靴を試し履きしながら、靴形状を選択していた。しかし、例えば靴を通信販売するような場合には、試し履きをすることは困難である。
【０００６】
本願発明は係る問題点に鑑み、試し履きをしなくても、顧客の満足する履き心地の靴形状を選択することのできるような、靴形状選択方法およびシステムを提供することを目的とする。
【０００７】
また、顧客に適した靴先形状を選択することのできるような、靴先形状選択方法を提供することを目的とする。
【０００８】
【課題を解決するための手段】
上記課題を解決するため、本願発明の靴形状選択方法は、顧客に関する複数のデータに基づいて、予め用意された複数種類の靴形状から適切な靴形状を選択する靴形状選択方法であって、該複数のデータが、該顧客の足の足長、該顧客の足の足囲  および  該顧客の足の１・２趾長差を含む（請求項１）。顧客の足の足長、足囲のみならず、１・２趾長差を考慮することにより、顧客の靴の履き心地をより満足させることができるような、靴形状の選択が可能となる。
【０００９】
上記靴形状選択方法において、該顧客の足の１・２趾長差が大きいほど、靴長サイズの大きな靴形状を選択するようにするとよい（請求項２）。
【００１０】
また上記靴形状選択方法において、該複数のデータが、該顧客の足の母趾高率を含んでもよい（請求項３）。母趾高率を考慮することにより、顧客の靴の履き心地をより満足させることができるような、靴形状の選択が可能となる。
【００１１】
また上記課題を解決するため、本願発明のもう一つの靴形状選択方法は、顧客に関する複数のデータに基づいて、予め用意された複数種類の靴形状から適切な靴形状を選択する靴形状選択方法であって、該複数のデータが、該顧客の足の足長、該顧客の足の足囲  および  該顧客の足の母趾高率を含む（請求項４）。顧客の足の足長、足囲のみならず、母趾高率を考慮することにより、顧客の靴の履き心地をより満足させることができるような、靴形状の選択が可能となる。
【００１２】
上記靴形状選択方法において、該顧客の足の母趾高率が大きいほど、靴長サイズの大きな靴形状を選択するとよい（請求項５）。
【００１３】
上記靴形状選択方法において、該複数のデータが、該顧客の靴に関するフィット感の好みを含んでもよい（請求項６）。顧客が靴の履き心地を満足するには、靴の足に対するフィット感が顧客の好みに合ったものであることが重要である。例えば「きつめ」が好みである顧客に対しては、「きつめ」の履き心地の靴を提供し、「ゆるめ」が好みである顧客に対しては、「ゆるめ」の履き心地の靴を提供することが重要である。フィット感の好みを考慮することにより、顧客の靴の履き心地をより満足させることができるような、靴形状の選択が可能となる。
【００１４】
また上記課題を解決するため、本願発明のさらにもう一つの靴形状選択方法は、顧客に関する複数のデータに基づいて、予め用意された複数種類の靴形状から適切な靴形状を選択する靴形状選択方法であって、該複数のデータが、該顧客の足の足長、該顧客の足の足囲  および  該顧客の靴に関するフィット感の好みを含む（請求項７）。顧客が靴の履き心地を満足するには、靴の足に対するフィット感が顧客の好みに合ったものであることが重要である。例えば「きつめ」が好みである顧客に対しては、「きつめ」の履き心地の靴を提供し、「ゆるめ」が好みである顧客に対しては、「ゆるめ」の履き心地の靴を提供することが重要である。顧客の足の足長、足囲のみならず、フィット感の好みを考慮することにより、顧客の靴の履き心地をより満足させることができるような、靴形状の選択が可能となる。
【００１５】
また上記課題を解決するため、本願発明の靴形状選択システムは、入力手段と選択手段と出力手段とを備え、顧客に関する複数のデータが該入力手段から該選択手段に入力され、該選択手段は該入力手段から入力された該複数のデータに基づいて、予め用意された複数種類の靴形状から適切な靴形状を選択し、該出力手段は、該選択手段の選択結果を出力し、該複数のデータが、該顧客の足の足長、該顧客の足の足囲  および  該顧客の足の１・２趾長差を含む（請求項８）。顧客の足の足長、足囲のみならず、１・２趾長差を考慮することにより、顧客の靴の履き心地をより満足させることができるような、靴形状の選択が可能となる。
【００１６】
また上記課題を解決するため、本願発明の靴先形状選択方法は、顧客の足の第１趾の内側への傾角  および／または  顧客の足の１・２趾長差に基づいて、予め用意された複数種類の靴先形状から適切な靴先形状を選択する（請求項９）。
【００１７】
上記靴先形状選択方法において、該顧客の足の第１趾の内側への傾角が第１の角度以下であるときに、オブリーク型の靴先形状を選択するようにすると（請求項１０）、第１趾の側面が靴の内装から受ける反力が過度に大きくなることを防止でき、靴の履き心地をより満足させることができる。
【００１８】
また上記靴先形状選択方法において、該顧客の足の第１趾の内側への傾角が第２の角度以上であるときに、オブリーク型の靴先形状を選択するようにすると（請求項１１）、外反母趾への影響を軽減することができる。
【００１９】
また上記靴先形状選択方法において、該顧客の足の１・２趾長差が所定値以上であるときに、オブリーク型の靴先形状を選択するようにすると（請求項１２）、第１趾の側面が靴の内装から受ける反力が過度に大きくなることを防止でき、靴の履き心地をより満足させることができる。
【００２０】
【発明の実施の形態】
本願発明の靴形状選択方法の一実施形態を図面を参照しつつ説明する。本実施形態では、顧客の足の足長、足囲、１・２趾長差、母趾高率を計測し、その計測されたデータを用いる。また顧客に対して、靴のフィット感の好みを確認する。そして、これらの計測値やフィット感の好みに基づいて、靴形状を選択する。
【００２１】
ここで「靴形状」とは、「靴長サイズ」と、靴長サイズに対する「靴幅タイプ」とによって特定される靴の形状である。「靴長サイズ」とは、靴の前後方向のサイズのことである。「靴幅タイプ」とは、靴長サイズに対する靴の幅に関するタイプのことである。
【００２２】
「靴形状を選択する」とは、種々の形状の靴のなかから適切な形状のものを選択することのみならず、種々の形状のラスト（靴の製造に用いる型）のなかから適切なものを選択することも含む。
【００２３】
図１は足１の図であり、（ａ）は左足側面図、（ｂ）は左足平面図である。この図を参照しつつ、「足長」「足囲」「１・２趾長差」「母趾高率」を説明する。
【００２４】
「足長」とは、踵から爪先までの長さである。「爪先」とは、第１趾２、第２趾３の長い方の先端部である。第１趾２の方が長い場合は、踵から第１趾２の先端までの距離ｄ２が足長ｄとなる。第２趾３の方が長い場合は、踵から第２趾３の先端までの距離ｄ３が足長ｄとなる。
【００２５】
「足囲」とは、第５中足骨骨頭４と第１中足骨骨頭５をむすんだ線に沿った足の周囲の長さである。
【００２６】
「１・２趾長差」とは、第１趾２と第２趾３の長さの差である。つまり、１・２趾長差ｅは、踵から第１趾先端までの距離ｄ２と踵から第２趾先端までの距離ｄ３の差である（ｅ＝ｄ２−ｄ３）。第１趾２が第２趾３より長い場合は正の値を取る（ｄ２−ｄ３＞０）。第１趾２が第２趾３より短い場合は負の値を取る（ｄ２−ｄ３＜０）。
【００２７】
「母趾高率」とは、足長に対する第１趾２上面の床面からの高さの割合である。つまり、母趾高率ｆは、距離ｄ２と距離ｄ３のうちの長い方（ｄ）と、第１趾２上面の床面からの高さｄ１の高さの割合である（ｆ＝ｄ１／ｄ）。
【００２８】
「フィット感」とは、靴の履き心地のきつさの程度である。これ（フィット感）は、爪先部（第１趾２または第２趾３）が靴の内装から受ける反力の強さの程度であると考えられる。
【００２９】
靴形状を選択するには、まず、顧客の足の足長ｄ、足囲、第１趾２上面の床面からの高さｄ１、第１趾２先端の踵からの距離ｄ２、第２趾３先端の踵からの距離ｄ３を測定し、これらの値から１・２趾長差ｅ（ｅ＝ｄ２―ｄ３）及び母趾高率ｆ（ｆ＝ｄ１／ｄ）を算出する。そして、顧客のフィット感の好みを「きつめ」「ややきつめ」「普通」「ややゆるめ」「ゆるめ」の中から選ばせる（顧客に質問して確認する）。
【００３０】
次に、足長ｄのみのデータに基づいて、靴長サイズを一次的に決定する。具体的には、・・・、２４０ｍｍ、２４５ｍｍ、２５０ｍｍ、２５５ｍｍ、・・・と５ｍｍ刻みで用意された種々のサイズの中から、足長ｄに近いものを一次的に決定する靴長サイズとする。
【００３１】
次に、一次的に決定された靴長サイズに対して、ある長さを付加して、最終的な靴長サイズとする。
【００３２】
次に、一次的に決定された靴長サイズと、計測された足囲とに基づいて、靴幅タイプを決定する。
【００３３】
以上のようにして、靴長サイズ（最終的に決定された靴長サイズ）と靴幅タイプが決定されることによって、選択すべき靴形状が特定される。
【００３４】
以下、より具体的に靴形状の選択方法を説明する。
【００３５】
まず、足長ｄのみのデータに基づいて、靴長サイズを一次的に決定したら、次に、この一次的に決定された靴長サイズに対してある程度の長さを付加して最終的な靴長サイズとする。図２は、この「付加する長さ」を決定するための手順を示す表である。図中の「Ａ」「Ｂ」「Ｃ」「ａ」「ｂ」は全て正数であり、「０＜ａ」「Ａ＜Ｂ＜Ｃ」の関係がある。
【００３６】
この表（図２）はランニングシューズ用の表である。ランニングシューズは他の種類の靴に比べて足に密着しやすいようにように作られている。足の表面と靴の内装面との間の隙間は比較的小さいが、靴の内装にはクッション性のある素材（スポンジ、布など）が使用されている。このクッション性のある素材（スポンジ、布など）は比較的厚みが大きい。また、運動などの荷重負荷により足の変形が大きいため、ランニングシューズは足長の計測値に比べて靴長サイズが大きくなる傾向がある。
【００３７】
この表（図２）を参照しつつ説明すると、まず、顧客のフィット感の好みが「きつめ」の場合は、１・２趾長差ｅや母趾高率ｆとは無関係に、Ａｍｍを「付加する長さ」として決定する。つまり、足長ｄのみに基づいて一次的に決定された靴長サイズに、Ａｍｍを加えたサイズが最終的な靴長サイズとして決定される。
【００３８】
顧客のフィット感の好みが「ややきつめ」の場合は、１・２趾長差ｅや母趾高率ｆとは無関係に、Ｂｍｍを「付加する長さ」として決定する。つまり、足長ｄのみに基づいて一次的に決定された靴長サイズに、Ｂｍｍを加えたサイズが最終的な靴長サイズとして決定される。
【００３９】
顧客のフィット感の好みが「普通」若しくは「ややゆるめ」の場合は、１・２趾長差をさらに考慮する。
【００４０】
顧客のフィット感の好みが「普通」若しくは「ややゆるめ」であって、１・２趾長差が「０ｍｍ未満」の場合は、母趾高率ｆとは無関係に、Ｂｍｍを「付加する長さ」として決定する。つまり、足長ｄのみに基づいて一次的に決定された靴長サイズに、Ｂｍｍを加えたサイズが最終的な靴長サイズとして決定される。
【００４１】
顧客のフィット感の好みが「普通」若しくは「ややゆるめ」であって、１・２趾長差が「０ｍｍ以上ａｍｍ未満」である場合は、さらに母趾高率を考慮する。
【００４２】
顧客のフィット感の好みが「普通」「ややゆるめ」であって、１・２趾長差が「０ｍｍ以上ａｍｍ未満」であって、母趾高率が「ｂ未満」の場合は、Ｂｍｍを「付加する長さ」として決定する。つまり、足長ｄのみに基づいて一次的に決定された靴長サイズに、Ｂｍｍを加えたサイズが最終的な靴長サイズとして決定される。
【００４３】
顧客のフィット感の好みが「普通」「ややゆるめ」であって、１・２趾長差が「０ｍｍ以上ａｍｍ未満」であって、母趾高率が「ｂ以上」の場合は、Ｃｍｍを「付加する長さ」として決定する。つまり、足長ｄのみに基づいて一次的に決定された靴長サイズに、Ｃｍｍを加えたサイズが最終的な靴長サイズとして決定される。
【００４４】
顧客のフィット感の好みが「普通」若しくは「ややゆるめ」であって、１・２趾長差が「ａｍｍ以上」の場合は、母趾高率ｆとは無関係に、Ｃｍｍを「付加する長さ」として決定する。つまり、足長ｄのみに基づいて一次的に決定された靴長サイズに、Ｃｍｍを加えたサイズが最終的な靴長サイズとして決定される。
【００４５】
顧客のフィット感の好みが「ゆるめ」の場合は、１・２趾長差ｅや母趾高率ｆとは無関係に、Ｃｍｍを「付加する長さ」として決定する。つまり、足長ｄのみに基づいて一次的に決定された靴長サイズに、Ｃｍｍを加えたサイズが最終的な靴長サイズとして決定される。
【００４６】
このように顧客がフィット感としてゆるめのものを好むほど、靴長サイズの大きな靴形状が選択される。また、１・２趾長差が大きいほど、靴長サイズの大きな靴形状が選択される。さらに、母趾高率が大きいほど、靴長サイズの大きな靴形状が選択される。
【００４７】
図２に基づきさらに具体的に説明する。足長の計測値から一次的に決定した靴長サイズが２５０ｍｍの顧客を例に説明すると、顧客がフィット感の好みに「きつめ」を要望した場合は、一次的に決定した靴長サイズ２５０ｍｍにＡｍｍを加えた（２５０＋Ａ）ｍｍが靴長サイズとして最終的に決定される。
【００４８】
顧客がフィット感の好みに「ややきつめ」を要望した場合は、一次的に決定した靴長サイズ２５０ｍｍにＢｍｍを加えた（２５０＋Ｂ）ｍｍが靴長サイズとして最終的に決定される。
【００４９】
顧客がフィット感の好みに「普通」若しくは「ややゆるめ」を要望し、１・２趾長差が「０ｍｍ未満」の場合は、一次的に決定した靴長サイズ２５０ｍｍにＢｍｍを加えた（２５０＋Ｂ）ｍｍが靴長サイズとして最終的に決定される。
【００５０】
顧客がフィット感の好みに「普通」若しくは「ややゆるめ」を要望し、１・２趾長差が「０ｍｍ以上ａｍｍ未満」、母趾高率が「ｂ未満」の場合は、一次的に決定した靴長サイズ２５０ｍｍにＢｍｍを加えた（２５０＋Ｂ）ｍｍが靴長サイズとして最終的に決定される。
【００５１】
顧客がフィット感の好みに「普通」若しくは「ややゆるめ」を要望し、１・２趾長差が「０ｍｍ以上ａｍｍ未満」、母趾高率が「ｂ以上」の場合は、一次的に決定した靴長サイズ２５０ｍｍにＣｍｍを加えた（２５０＋Ｃ）ｍｍが靴長サイズとして最終的に決定される。
【００５２】
顧客がフィット感の好みに「普通」若しくは「ややゆるめ」を要望し、１・２趾長差が「ａｍｍ以上」の場合は、一次的に決定した靴長サイズ２５０ｍｍにＣｍｍを加えた（２５０＋Ｃ）ｍｍが靴長サイズとして最終的に決定される。
【００５３】
顧客がフィット感の好みに「ゆるめ」を要望した場合は、一次的に決定した靴長サイズ２５０ｍｍにＣｍｍを加えた（２５０＋Ｃ）ｍｍが靴長サイズとして最終的に決定される。
【００５４】
以上のように、図２に示す手順によって靴長サイズが最終的に決定されたら、次に、一次的に決定された靴長サイズと、計測された足囲とに基づいて、靴幅タイプを決定する。本実施形態では、靴幅タイプは３つのタイプ（タイプ１、タイプ２、タイプ３）のうちのいずれかに決定される。例えば、タイプ１を図１０に示すＪＩＳワイズＢに類似する靴幅タイプ、タイプ２を図１０に示すＪＩＳワイズＥに類似する靴幅タイプ、タイプ３を図１０に示すＪＩＳワイズＥＥＥＥに類似する靴幅タイプとしてもよい。
【００５５】
このようにして最終的に決定された靴長サイズと、決定された靴幅タイプとによって、靴形状が特定される。
【００５６】
靴形状が特定されると、この靴形状に対応するラストを、予め用意された複数種類のラストから選択し、選択されたラストによって靴を製造すれば、顧客の満足する靴を製造することができる。例えば、靴長サイズが２６０ｍｍ、靴幅タイプがタイプ２の靴形状が特定されると、これに対応したラストを選択し、このラストに基づいて、靴長サイズが２６０ｍｍ、靴幅タイプがタイプ２の靴を製造すればよい。
【００５７】
また、ラストではなく、直接的に靴を選んでも良い。すなわち、靴形状が特定されると、この靴形状を有する靴を、予め用意された複数種類の靴から選択するのである。例えば、靴長サイズが２６０ｍｍ、靴幅タイプがタイプ２の靴形状が特定されると、靴長サイズが２６０ｍｍ、靴幅タイプがタイプ２の靴を選び出して顧客に提供すればよいのである。
【００５８】
以上では、図２に示す手順によって、靴長サイズを最終的に決定する方法を示した。図２では、足長ｄのみのデータに基づいて一次的に決定された靴長サイズに対して、いかなる長さを付加して最終的な靴長サイズとするかを、顧客のフィット感の好み、１・２趾長差ｅ、母趾高率ｆに基づいて決定した。
【００５９】
しかし、足長ｄのみのデータに基づいて一次的に決定された靴長サイズに対して、いかなる長さを付加して最終的な靴長サイズとするかを、顧客のフィット感の好みのみによって決定してもよい。
【００６０】
また、一次的に決定された靴長サイズに対して、いかなる長さを付加して最終的な靴長サイズとするかを、母趾高率ｆのみによって決定してもよい。
【００６１】
さらに、一次的に決定された靴長サイズに対して、いかなる長さを付加して最終的な靴長サイズとするかを、１・２趾長差ｅのみによって決定してもよい。
【００６２】
なお、説明する際、一次的に決定された靴長サイズに付加する長さとしては、「Ａ」「Ｂ」「Ｃ」の３つの数値を利用したが、基づくデータにより、各々変えてもよい。
【００６３】
図３は、このような靴長サイズの最終的な決定方法を示す表である。この表はランニングシューズ用の表である。図中の「Ａ」「Ｂ」「Ｃ」「ａ」「ｂ」は全て正数であり、「０＜ａ」「Ａ＜Ｂ＜Ｃ」の関係がある。
【００６４】
図３（ａ）は「フィット感の好み」のみによって靴長サイズを決定するための方法を示す表である。図３（ａ）を参照して説明すると、「フィット感の好み」が「きつめ」の場合は、一次的に決定された靴長サイズにＡｍｍを加えたサイズを最終的な靴長サイズとして決定する。「フィット感の好み」が「ややきつめ」「普通」若しくは「ややゆるめ」の場合は、一次的に決定された靴長サイズにＢｍｍを加えたサイズを最終的な靴長サイズとして決定する。「フィット感の好み」が「ゆるめ」の場合は、一次的に決定された靴長サイズにＣｍｍを加えたサイズを最終的な靴長サイズとして決定する。
【００６５】
図３（ｂ）は「母趾高率」のみによって靴長サイズを決定するための方法を示す表である。図３（ｂ）を参照して説明すると、「母趾高率」が「ｂ未満」の場合は、一次的に決定された靴長サイズにＢｍｍを加えたサイズを最終的な靴長サイズとして決定する。「母趾高率」が「ｂ以上」の場合は、一次的に決定された靴長サイズにＣｍｍを加えたサイズを最終的な靴長サイズとして決定する。
【００６６】
図３（ｃ）は「１・２趾長差」のみによって靴長サイズを決定するための方法を示す表である。図３（ｃ）を参照して説明すると、「１・２趾長差」が「ａｍｍ未満」の場合は、一次的に決定された靴長サイズにＢｍｍを加えたサイズを最終的な靴長サイズとして決定する。「１・２趾長差」が「ａｍｍ以上」の場合は、一次的に決定された靴長サイズにＣｍｍを加えたサイズを最終的な靴長サイズとして決定する。
【００６７】
以上、図３を参照しつつ、足長ｄのみのデータに基づいて一次的に決定された靴長サイズに対して、いかなる長さを付加して最終的な靴長サイズとするかを、顧客のフィット感の好みのみによって、母趾高率ｆのみによって、および、１・２趾長差ｅのみによって決定する方法を説明した。
【００６８】
なお、説明する際、一次的に決定された靴長サイズに付加する長さとしては、「Ａ」「Ｂ」「Ｃ」の３つの数値を利用したが、基づくデータにより、各々変えてもよい。
【００６９】
ここで、靴に対する「フィット感」と足が靴の内装から受ける反力との関係を考察する。
【００７０】
図４は靴平面透視図であり、（ａ）は第１趾２が第２趾３より長い場合の図、（ｂ）は第１趾２が第２趾３より短い場合の図、（ｃ）は第１趾２と第２趾３がほぼ同じ長さの場合の図である。図４を参照して図２の靴長サイズに付加する値とフィット感の関係を説明する。
【００７１】
靴長サイズに付加する値は靴の種類によって変わるが、本発明では一般的なランニングシューズの例を示す。Ｔ２は第１・２趾爪先前面部が靴内装から受ける反力であり、フィット感をもっとも感じる箇所の内装からの反力を示す。
【００７２】
図４（ｂ）（１・２趾長差が「０ｍｍ未満」の場合）を基準とすると、図４（ａ）（１・２趾長差が「ａｍｍ以上」の場合）の靴長サイズに付加する値は１・２趾長差が「０ｍｍ未満」の場合に比べて大きくなる。これは靴が第１趾２近傍から先端部にむかって湾曲９しているため、第１趾２が第２趾３より短い図４（ｂ）と同じフィット感を得ようとする、つまり靴の内装から受ける反力Ｔ２を同等にするためには、靴のサイズを第１趾２が第２趾３より短い図４（ｂ）に比べて大きくしなければならないからである。
【００７３】
図４（ｂ）（１・２趾長差が「０ｍｍ未満」の場合）を基準とすると、図４（ｃ）（１・２趾長差が「０ｍｍ以上ａｍｍ未満」の場合）は母趾高率によって靴サイズが変わる。
【００７４】
図５は靴正面透視図であり、図５（ａ）は図４（ｃ）において母趾高率が「ｂ未満」、図５（ｂ）は図４（ｃ）において母趾高率が「ｂ以上」を示す図である。図６は靴側面透視図である。図５、図６を参照して、一次的に決定した靴長サイズに付加する値とフィット感の関係を説明する。
【００７５】
図５（ａ）と図４（ｂ）が同じフィット感を得ようとする場合、つまり、図５（ａ）の靴の内装から受ける反力Ｔ３が、図４（ｂ）の靴の内装から受ける反力Ｔ２と同等になるためには、図６（ｂ）の先端湾曲部８は図４の先端湾曲部９に比べて爪先方向になだらかであり、先端湾曲部９近傍の内装から受ける反力Ｔ２は、先端湾曲部８近傍の内装から受ける反力Ｔ３に比べて大きいので、図４（ｂ）と同等な靴サイズでも靴の内装から受ける反力の差を感じることはない。
【００７６】
つぎに、図５（ｂ）と図４（ｂ）が同じフィット感を得ようとする場合。つまり、図５（ｂ）の靴の内装から受ける反力Ｔ３が、図４（ｂ）の靴の内装から受ける反力Ｔ２と同等になるためには、図６（ｂ）の先端湾曲部８は図４の先端湾曲部９に比べて爪先方向になだらかであり、先端湾曲部９近傍の内装から受ける反力Ｔ２は、先端湾曲部８近傍の内装から受ける反力Ｔ３に比べて小さいので、第１趾２の太い分だけ靴サイズを大きくしなければ反力の差を感じることになる。
【００７７】
本実施形態ではフィット感を「きつめ」「ややきつめ」「普通」「ややゆるめ」「ゆるめ」に分類したが、「きつめ」とは、第１趾２または第２趾３が靴の内装からの反力を著しく強く感じることであると考えることができる。また、「ややきつめ」とは第１趾２または第２趾３が靴の内装からの反力を強く感じることであると考えることができる。「普通」若しくは「ややゆるめ」とは第１趾２または第２趾３が靴の内装からの反力を僅かに感じることであると考えることができる。「ゆるめ」とは、第１趾２または第２趾３が靴の内装からの反力をほとんど感じないことであると考えることができる。
【００７８】
以上、靴に対する「フィット感」と足が靴の内装から受ける反力との関係を考察した。
【００７９】
以上、靴形状選択方法の種々の形態を説明した。この靴形状選択方法は、情報伝達手段を用いることで、靴を試し履きすることなく、靴を販売するような販売方法に有効である。たとえば、顧客が自分の足に関するデータやフィット感の好みを、電話やＦＡＸによって製造・販売者に伝え、製造・販売者がこれに基づいて靴を製造・選択して顧客に配送するような形態、例えば通信販売の形態や、小売店などが在庫を持たずに販売する形態に有効である。
【００８０】
図７は、上記した靴形状選択方法を実行するための、靴形状選択システムの一実施形態を示す概略構成図である。
【００８１】
図７を参照しつつ説明すると、靴形状選択システム２０は、端末局２０Ａ側（例えば店舗側）に、三次元計測器２１と、パーソナルコンピュータ本体２２と、キーボード２３とを有する。また、基地局２０Ｂ側（例えば生産拠点側）には、パーソナルコンピュータ本体２７と、表示装置（ディスプレイ）２８とを有している。両パーソナルコンピュータ２２，２７は通信インターフェース２４，２６を介して通信回線２５で接続されている。
【００８２】
三次元計測器２１は、そこに顧客の足を載置すると、足の表面における多点の三次元座標を計測して、足に関する三次元計測データを採取する。
【００８３】
この三次元計測データは、パーソナルコンピュータ本体２２に送出される。パーソナルコンピュータ本体２２は、この三次元計測データに基づき、足長、足囲、１・２趾長差、母趾高、母趾高率などを算出する。また、端末局２０Ａ側に居るオペレータは、顧客のフィット感の好みを確認し、このデータをキーボード２３からパーソナルコンピュータ本体２２に入力する。
【００８４】
そして、これらデータ（足長、足囲、１・２趾長差、母趾高、母趾高率、顧客のフィット感の好みのデータ）は、通信回線２５を介して、基地局２０Ｂ側のパーソナルコンピュータ本体２７に送出される。
【００８５】
基地局２０Ｂ側のパーソナルコンピュータ本体２７の記憶手段（図示せず）には、複数種類の靴形状が記憶されている。そしてパーソナルコンピュータ本体２７は、通信回線２５を介して受け取ったデータに基づき、上記したような靴形状選択方法により靴形状を選択する。そして、選択された靴形状に関する表示が表示装置２８に表れる。例えば、「靴長サイズ：２６０ｍｍ、靴幅タイプ：タイプ２」と表示される。基地局２０Ｂ側では、この表示を基に、適切なラストや靴を選ぶことができる。なお、ここでパーソナルコンピュータ本体２７が、靴形状を選択する選択手段として機能しており、表示装置２８が、選択結果を出力する出力手段として機能している。
【００８６】
以上、図７を参照しつつ、靴形状選択システムの一実施形態を説明した。
【００８７】
出願人は、本願発明の靴形状選択方法の有効性を、被験者による試験によって確認したので、この結果を図８に示す。
【００８８】
試験では、被験者の足に関する計測データを採取し、被験者のフィット感の好みを確認した。そしてこれらデータに基づいて、図２、図３（ａ）、図３（ｂ）、図３（ｃ）のそれぞれに示す方法で靴長サイズを最終的に決定し、かつ、一次的に決定された靴長サイズと計測した足囲に基づいて足幅タイプを決定した。そして、決定された靴長サイズと足幅タイプに対応した靴を被験者に試し履きをさせ、履き心地の満足度をアンケート調査によって確認した。そして、試し履きをしたときの満足度率で評価を行った。表において、満足度率とは、試し履きをした靴数と満足度指数の比である。つまり、満足度率＝（満足度指数）／（試し履きをした靴数）である。満足度指数とは、「非常に満足」、「満足」、「不満足」、「非常に不満足」の４段階評価によってアンケート調査を行った結果、「非常に満足」もしくは「満足」と回答した票数の合計である。
【００８９】
図８の表中のＤは、図２に示す方法で靴長サイズを最終的に決定したときの試験結果である。満足度率は８７．８％である。
【００９０】
図８の表中のＥは、図３（ａ）に示す方法で靴長サイズを最終的に決定したときの試験結果である。満足度率は８０．５％である。
【００９１】
図８の表中のＦは、図３（ｂ）に示す方法で靴長サイズを最終的に決定したときの試験結果である。満足度率は８０．０％である。
【００９２】
図８の表中のＧは、図３（ｃ）に示す方法で靴長サイズを最終的に決定したときの試験結果である。満足度率は７４．５％である。
【００９３】
図８の表中のＨは、従来の靴形状選択方法、つまり、図１０のＪＩＳ表によって、足長と足囲のみから靴形状を選択する方法での試験結果である。満足度率は６７．１％である。
【００９４】
図８の表中のＤ〜Ｇでの満足度率は、いずれもＨでの満足度率よりも高く、本願発明の靴形状選択方法が有効であることが示されている。
【００９５】
以上、図８を参照して、本願発明の靴形状選択方法の有効性に関する試験結果を説明した。
【００９６】
次に、本願発明の靴先形状選択方法の一実施形態を図９を参照しつつ説明する。本実施形態では、顧客の足の第１趾の内側への傾角や顧客の足の１・２趾長差に基づいて、複数種類の靴先形状から適切な靴先形状を選択する。
【００９７】
ここで「靴先形状を選択する」とは、種々の靴先形状の靴のなかから適切な靴先形状を有する靴を選択することのみならず、種々の靴先形状のラスト（靴の製造に用いる型）のなかから適切な靴先形状を有するラストを選択することも含む。
【００９８】
また、ここで「第１趾の内側への傾角」とは、図１（ｂ）においてθで示される角度であり、第１趾２の第２趾３とは反対側の側面が、平面視（又は底面視）における足の中心線Ｃ１に対して内側へ傾く角度である。図１（ｂ）において、線Ｄは第１趾２の第２趾３とは反対側の側面の接線であり、線Ｃ１’は中心線Ｃ１の平行線である。「１・２趾長差」とは、前述したとおり第１趾２と第２趾３の長さの差であり、図１（ｂ）では「ｅ」で示されている。
【００９９】
靴の靴先形状は履き心地等に影響を与える。靴先形状を大別すると、一般的にはラウンド型とオブリーク型とに分けられる。なお、スクエア型と呼ばれる靴先形状もあるが、あまり普及していない。
【０１００】
図９は靴先形状を足先に重ねて示した図であり、（ａ）はラウンド型の靴先形状を、（ｂ）はオブリーク型の靴先形状をそれぞれ示す。
【０１０１】
ラウンド型とは、第２趾３もしくは第３趾３０を頂点に左右に略対称的なカーブを描く靴先形状である。ラウンド型は、第１中足骨骨頭５から爪先にかけてなだらかに湾曲している。
【０１０２】
オブリーク型とは、第１趾２を頂点とし、第５趾３２に向かうに従って徐々に短くなるようなカーブを描く靴先形状である。オブリーク型は、第１中足骨骨頭５から爪先にかけてほぼ直線状に形成されている。
【０１０３】
ラウンド型の靴先形状を有する靴の方が、オブリーク型の靴先形状を有する靴に比べて多く作られている。これは、靴の外観デザイン上、ラウンド型の方がオブリーク型に比べて顧客に好まれるからである。
【０１０４】
しかし、顧客の足の形状によっては、靴の履き心地などの観点から、オブリーク型を選択した方が良い場合がある。
【０１０５】
例えば、第１趾２の内側への傾角θが標準的な範囲を超えて小さい場合は、必然的に第１趾２の側面が靴の内装から受ける反力Ｔ２が強くなる傾向にある。この反力Ｔ２が大きすぎると靴の履き心地が悪くなる。第１趾２の側面への靴の内装からの反力Ｔ２は、ラウンド型の靴先形状よりもオブリーク型の靴先形状の方が小さくなる。よって、かかる場合（第１趾２の内側への傾角θが標準的な範囲を超えて小さい場合）は、オブリーク型の靴先形状を選択した方が好ましい。
【０１０６】
また例えば、第１趾２の内側への傾角θが標準的な範囲を超えて大きい場合は、外反母趾であると判断される。よってこれ（外反母趾）への影響を軽減するためには、第１趾２の側面への靴の内装からの反力Ｔ２ができるだけ小さい方がよい。第１趾２の側面への靴の内装からの反力Ｔ２は、ラウンド型の靴先形状よりもオブリーク型の靴先形状の方が小さくなる。よって、かかる場合（第１趾２の内側への傾角θが標準的な範囲を超えて大きい場合）も、オブリーク型の靴先形状を選択した方が好ましい。
【０１０７】
また例えば、１・２趾長差ｅが標準的な範囲を超えて大きな場合にラウンド型の靴を選択すると、第１趾２の側面が靴の内装から受ける反力Ｔ２が大きくなり、履き心地が悪くなる。これに対してオブリーク型の靴先形状であれば、第１趾２の側面への靴の内装からの反力Ｔ２は比較的小さくなる。よって、かかる場合（１・２趾長差ｅが標準的な範囲を超えて大きな場合）には、オブリーク型の靴先形状を選択した方が好ましい。
【０１０８】
本実施形態では、具体的には次のようにして靴先形状を選択する。すなわち、まず顧客の足の形状を三次元計測器（例えば図７に示した三次元計測器２１）などによって計測し、これを基に「第１趾の内側への傾角」と「１・２趾長差」とを算出する。そして、これらの値（「第１趾の内側への傾角」と「１・２趾長差」）に基づいて、靴先形状として、ラウンド型とオブリーク型の内からいずれかを選択する。さらに詳細に説明すると、次のとおりである。（以下においては、「α」「β」なる値を使うが、例えば、βはαよりも大きく、αは０を超え、かつ、１０以下の値であり、βは５以上２０以下の値であるとしてもよい。）
第１趾２の内側への傾角θがα°以下の場合は、１・２趾長差ｅの値とは無関係にオブリーク型を選択する。これにより、第１趾２の内側への傾角θが標準的な範囲を超えて小さいような足であっても、第１趾２の側面が靴の内装から受ける反力Ｔ２をほとんど感じない程度にすることができ、快適な履き心地となる。
【０１０９】
傾角θがβ°以上の場合も、１・２趾長差ｅの値とは無関係にオブリーク型を選択する。これにより、外反母趾の足に対して、第１趾２の側面が靴の内装から受ける反力Ｔ２を極力小さくすることができ、外反母趾の矯正に役立つ。
【０１１０】
傾角θがα°を超えβ°未満であっても、１・２趾長差ｅがｈｍｍ以上である場合は、オブリーク型を選択する（ここで「ｈ」は正数である）。これにより、第１・２趾長差ｅが標準的な範囲を超えて大きな足であっても、第１趾２の側面が靴の内装から受ける反力Ｔ２をほとんど感じない程度にすることができ、快適な履き心地となる。
【０１１１】
傾角θがα°を超えβ°未満であり、かつ、１・２趾長差ｅがｈｍｍ未満である場合は、標準的な足先形状であると認められるので、外観デザイン上において最も広く好まれるラウンド型を選択する。これにより、顧客の靴に対する外観デザイン上の好みを多くの場合に満足させることができる。このような標準的な足形形状であれば、第１趾２の側面が靴の内装から受ける反力Ｔ２は、ラウンド型の靴先形状であってもオブリーク型の靴先形状であってもほとんど差を感じない程度となる。
【０１１２】
以上、主に図９を参照しつつ、本願発明の靴先形状選択方法の一実施形態を説明した。
【０１１３】
【発明の効果】
本願発明によれば、顧客の満足度の高い靴形状を選択することが可能となる。また、顧客に適した靴先形状を選択することが可能となる。
【図面の簡単な説明】
【図１】足１の図であり、（ａ）は左足側面図、（ｂ）は左足平面図である。
【図２】靴長サイズを決定する手順を示す図である。
【図３】靴長サイズを決定する手順を示す図であり。
【図４】靴平面透視図であり、（ａ）は第１趾長が第２趾長より長い場合を示した図、（ｂ）は第１趾長が第２趾長より短い場合を示した図、（ｃ）は第１趾長と第２趾長がほぼ同じ場合を示した図である。
【図５】靴正面透視図であり、（ａ）は第１趾長が標準の太さの場合を示した図、（ｂ）は第１趾長が比較的太い場合を示した図である。
【図６】靴側面透視図であり、（ａ）は靴と足の関係を表した図、（ｂ）は爪先部の拡大図である。
【図７】靴形状選択システムの概略構成図である。
【図８】試し履きの満足度率を示す実験結果表である。
【図９】靴先形状を示す図であり、（ａ）はラウンド型の靴先形状を、（ｂ）はオブリーク型の靴先形状を示す図である。
【図１０】ＪＩＳの靴サイズ対応表である。
【符号の説明】
１  足
２  第１趾
３  第２趾
４  第５中足骨骨頭
５  第１中足骨骨頭
６  靴の内装
７  第１趾または第２趾の先端部近傍
８  靴先端の上面湾曲部
９  靴先端の側面湾曲部
１０  第１趾上面部近傍
２０  靴形状選択システム
２０Ａ  端末局
２０Ｂ  基地局
２１  三次元計測器
２２，２７  パーソナルコンピュータ本体
２３  キーボード
２４，２６  通信インターフェース
２５  通信回線
２８  表示装置
３０  第３趾
３２  第５趾
ｄ  足長
ｄ１  第１趾上面の床面からの高さ
ｄ２  第１趾の踵からの距離
ｄ３  第２趾の踵からの距離
ｅ  １・２趾長差
Ｔ１  第１趾または第２趾の先端部近傍が靴の内装から受ける反力
Ｔ２  第１趾または第２趾が反力をもっともよく受ける箇所の反力
Ｔ３  第１趾上面近傍が靴の内装から受ける反力
【図１】
2004313443.tif 000003
【図２】
2004313443.tif 000004
【図３】
2004313443.tif 000005
【図４】
2004313443.tif 000006
【図５】
2004313443.tif 000007
【図６】
2004313443.tif 000008
【図７】
2004313443.tif 000009
【図８】
2004313443.tif 000010
【図９】
2004313443.tif 000011
【図１０】
2004313443.tif 000012